(57)【要約】      （修正有）【課題】天井などに雌ねじアンカーを設置する際、雌ねじアンカーを予め穿孔されている先穴に失敗することなく挿入でき、連続して打ち込み作業に移行でき、さらには、無理な体勢で打ち込み作業をしても、設置不良を起こさない雌ねじアンカー打ち込み工具を提供する。【解決手段】軸部２の一端に打込部１と、打込部１よりも径大となっているブロック部を有し、軸部の他端に工具係合部４を有している打ち込み棒５と、軸部２上をスライド可能で回転可能となっている前記ブロック部を収容するための外筒部７と、軸部２の略中間部で軸止め輪８により端点を固定されたバネ９が、外筒部７をブロック部に当接する方向に付勢させているアンカー打ち込み棒において、打込部１より径大な前記ブロック部の直径が、雌ねじアンカーフランジ径よりも径大で、前記外筒部７の開放端に少なくとも２箇所以上のスリット部１４を設けていることを特徴とするアンカー打ち込み具。【選択図】図８
2009270418.tif 000002
【特許請求の範囲】
【請求項１】
軸部２の一端に打込部１とその打込部１から軸部２側へ連接して打込部１よりも径大となっているブロック部３を有し、軸部の他端に工具係合部４を有している打ち込み棒５と軸部２上をスライド可能で回転可能となっている前記ブロック部３を収容するための段付の貫通孔６を有した外筒部７と、軸部２の略中間部で軸止め輪８により端点を固定されたバネ９が外筒部７を前記外筒部７の段付部１０がブロック部３に当接する方向に付勢させている打ち込み棒５において、打込部１より径大な前記ブロック部３の直径が雌ねじアンカーフランジ径１２よりも径大で、前記外筒部７の開放端に少なくとも２箇所以上のスリット部１４を設けていることを特徴とするアンカー打ち込み具。
【請求項２】
前記バネ９の中間部の巻き外径が両端部の巻き外径よりも大きいことを特徴とする請求項１に記載のアンカー打ち込み具。
【発明の詳細な説明】
【技術分野】
【０００１】  本発明は、コンクリートなどの建材に予めあけた穿孔に挿入し内部コーンを打撃することで本体脚部が建材内で開脚するあと施工アンカーを設置するための工具に関する。
【背景技術】
【０００２】  コンクリート面上に何らかの器材を取り付けなければならない場合は、あと施工アンカーと総称されるコンクリート用金属製アンカーを用いて固定することが一般的である。【０００３】  上記コンクリート用アンカーの種類には雄ねじをコンクリート面外に凸設させるため、コンクリート面外に棒体を突出させその周囲に雄ねじを設けられている雄ねじアンカーとコンクリート面内に雌ねじを凹設させるため、筒状になっておりその内面に雌ねじが設けられている雌ねじアンカーがある。【０００４】  ところで、コンクリート用アンカーの設置作業は、まずコンクリート面に設置するアンカーの所定直径の先穴を穿孔する。その後、穿孔した先穴に、コンクリート用アンカーを差し込み、さらにその後、各種コンクリート用アンカーの脚部を芯棒や内部コーンをアンカー先端方向へ打ち込むことで開脚させ、所定の打ち込み深さになったときに完了する。【０００５】  ここで、コンクリート用アンカーの脚部の開脚は、予め打ち込む深さを制御されたアンカーを打ち込むための工具とハンマーを併用することでなされる。この工具は、特に前記コンクリート面内に雌ねじアンカーを設置する場合に用いられ、内部コーンを打ち込む深さが工具に設けられている段差により予め制御されているので、雌ねじアンカーはコンクリート面内で確実に開脚し、後に取り付けた器材が脱落することもない。【０００６】  しかし、上記雌ねじアンカーを開脚させるためには、大きな力が必要であるため、手動工具であるハンマーの打撃力を使って雌ねじアンカーの脚部を開脚させるのは作業者にとって非常に労力と時間の必要な作業である。【０００７】  そこで、作業者によっては、労力の軽減と、作業時間の短縮を目的として、電動で作動するハンマードリルや、振動ドリル等の電動工具等を用いて雌ねじアンカーの脚部を開脚させている場合もある。なお、この場合には電動工具やドリル等の先端工具等に取り付けることができるアンカー打ち込み工具等を併用することも多い。【０００８】  上記電動工具に取り付ける打ち込み工具を使用することによって、労力の軽減、作業時間の短縮が可能となる。また、打ち込み工具の所定の位置に段差をつけてあるので、作業者の手に開脚作業完了の感覚が伝わり、かつ、目視で開脚作業完了の状態が見えているから打ち込み深さを完全に管理することができる。
【特許文献１】特開２００３−２６８９８１号公報
【特許文献２】特開２０００−０４２９４６号公報
【発明の開示】
【発明が解決しようとする課題】
【０００９】  しかしながら、作業者の実情を考えれば、雌ねじアンカーの脚部の開脚作業は、コンクリートで成形された天井部分にエアコン、電路支持金具などの器材を取り付けるために行われることも多い。このとき、作業者は大半の場合、電動工具に取り付けた打ち込み工具が天井まで届かず、多くの場合は、脚立などに立って作業することになる。【００１０】  したがって、作業者は非常に無理な体勢で重い電動工具を持って作業することになる。天井に設置する場合、雌ねじアンカーを穿孔に差し込む時にアンカー打ち込み工具の先端にセットしてから差し込むので、従来の打ち込み工具の場合は、セットした後で、雌ねじアンカーがゆらゆらゆれる、あるいはアンカー打ち込み工具から離脱し床に落ちてしまって先穴に入らずスムーズに雌ねじアンカーの打ち込み作業に移行できないという問題があった。【００１１】  さらに、天井面へのアンカー打ち込み作業においては、打ち込み工具の所定位置にある段差が雌ねじアンカーのねじ穴に入りにくくなるだけの直径しか有していないので、無理な体勢にある雌ねじアンカー作業者の手に開脚作業完了の感覚が伝わりにくく、かつ、目視での開脚作業完了の状態が見えないから、その結果、雌ねじアンカーの開脚が十分に行われない、或いは雌ねじアンカーそのものがコンクリート面内に沈むなどの理由があり結果として正確に雌ねじアンカーの設置が出来ないため、雌ねじアンカーの設置不良が原因となり、その後に取り付けた空調機器などの器材が脱落し、事故を招くというおそれもあった。【００１２】  本発明は、上記の種々の問題に鑑みてなされたものであり、本発明の課題は、天井などに雌ねじアンカーを設置する際、雌ねじアンカーを予め穿孔されている先穴に失敗することなく挿入でき、連続して打ち込み作業に移行でき、さらには、無理な体勢で打ち込み作業をしても、雌ねじアンカーの脚部が開脚しない、あるいは雌ねじアンカーそのものが打ち込み工具によってコンクリート面内に沈むなどの設置不良を起こさない雌ねじアンカー打ち込み工具を提供することにある。
【課題を解決するための手段】
【００１３】  上記課題を解決するために請求項１の発明は、軸部２の一端に打込部１と打込部１から軸部２側へ連接して打込部１よりも径大となっているブロック部３を有し、軸部２の他端に工具係合部４を有している打ち込み棒５と軸部２上をスライド可能で回転可能となっている前記ブロック部３を収容するための段付の貫通孔６を有した外筒部７と、軸部２の略中間部で軸止め輪８により端点を固定されたバネ９が外筒部７を前記外筒部７の段付部１０がブロック部３に当接する方向に付勢させているアンカー打ち込み棒において、前記外筒部７の開放端に少なくとも２箇所以上のスリット部１４を設けている構成を採用している。【００１４】  また、請求項２の発明は、請求項１のアンカー打ち込み具２２において、前記バネ９の中間部の巻き外径が両端部の巻き外径よりも大きい構成を採用している。
【発明の効果】
【００１５】  本発明のアンカー打ち込み工具は、雌ねじアンカー１１の内部コーン１６上端と打込部１とが接触し、かつ、打込部１側に付勢され一定位置で停止している外筒部７が雌ねじアンカー１１の外周側面をガイドしているので、雌ねじアンカー１１がゆらゆらゆれるのを制御し、さらに打ち込み工具から雌ねじアンカー１１が脱落することがないため、失敗することなく穿孔１７に雌ねじアンカー１１を挿入することができる。【００１６】  雌ねじアンカー１１の挿入時にも、軸部２の略中間部で軸止め輪８により端点を固定されたバネ９の中間部の巻き外径が両端部の巻き外径よりも大きい構成であるので、バネを縮め切った状態においてもバネの反発力が強くなり過ぎず、雌ねじアンカー１１の挿入作業を容易にする。【００１７】  さらに外筒部７の開放端には外筒部７の長手方向に入れられた２個以上のスリット部１４が設けられているので、外筒部７が工具係合部４側にスライドさせる際に外筒部７の段付部１０に収容されている雌ねじアンカー１１が穿孔１７に入っていく様子を目視で確認することができ、その結果、作業者は安心して打ち込み作業に移行することができる。【００１８】  次に、雌ねじアンカー１１の打ち込み作業に移行し、該アンカー１１の内部コーン１６をアンカー下端側へ打ち込んでいくことにより該アンカー１１の脚部１８を開脚していくが、打込部１の回転打撃により内部コーン１６が、脚部側へ移動をつづけ、最終的にブロック部３と該アンカーフランジ面１２が接触する。さらに、雌ねじアンカーフランジ部１２の径よりも該ブロック部３の直径が大きいので、ブロック部３の外周縁の一部がコンクリート面とも接触する。そうなることで、無理な体勢の作業者の手に開脚完了の感覚を確実に伝えることができ、また、雌ねじアンカー１１のコンクリート面内への沈み込みを防止することができる。
さらに、ブロック部３の直径が雌ねじアンカーフランジ部１２の直径よりも大きいことで、ブロック部３の面と、雌ねじアンカーフランジ部１２の面が完全に接しているので雌ねじアンカー１１と打ち込み工具全体の軸が一致しやすくなる。このため打込部１が雌ねじアンカー１１内の雌ねじ部１９に当たり打込部１の回転打撃によるアンカー内の雌ねじ部の損傷が防止できる。
さらに、打ち込み作業時にバネ９の反発力が強くなり過ぎないので、バネ９により打込部１側に付勢されている外筒部７にスリット部１４を設けた開放端が、打ち込み作業時の回転打撃により激しい回転振動を発生させられ雌ねじアンカー１１周りのコンクリート面２０をはつりながら該コンクリート面２０を損傷させ、結果として雌ねじアンカー１１の十分な引き抜き強度を得られないという事態も防止することができる。【００１９】  このように、作業者が無理な体勢でかつ、目視により開脚作業完了を確認できない天井などの状況下でも、無駄な押し込み力無く雌ねじアンカー１１の脚部１８を確実に開脚させ、雌ねじアンカー１１そのものの沈み込みを防止でき、外筒部７が雌ねじアンカー１１周りのコンクリート面２０を損傷させることによる雌ねじアンカー１１の引き抜き強度低下を防止することができるので確実な雌ねじアンカー１１の設置ができるとともに、雌ねじアンカー１１挿入作業時にアンカー打ち込み工具から雌ねじアンカー１１が脱落することを未然に防ぐことができるので、雌ねじアンカー１１の確実な設置と作業者労力の軽減の両立が可能となる。
【本発明を実施するための最良の形態】
【００２０】  軸部２の一端に打込部１と打込部１から軸部２側へ連接して打込部１よりも径大となっているブロック部３を有し、軸部２の他端に工具係合部４を有している打ち込み棒５と軸部２上をスライド可能で回転可能となっている前記ブロック部３を収容するための段付の貫通孔６を有した外筒部７と、軸部２の略中間部で軸止め輪８により端点を固定されたバネ９が外筒部７を前記外筒部７の段付部１０がブロック部３に当接する方向に付勢させているアンカー打ち込み棒１５において、前記外筒部７の開放端に少なくとも２箇所以上のスリット部１４を設け、前記バネ９の中間部の巻き外径が両端部の巻き外径よりも大きい構成を採用している。
【実施例】
【００２１】  本発明のアンカー打ち込み具２２は、上記のような構成であり、電動工具２１に工具係合部４を係合し、アンカー打ち込み工具先端に雌ねじアンカー１１を入れ込み、コンクリート面２０にあけられた穿孔１７に雌ねじアンカー１１を入れ込み後、電動工具２１のスイッチを入れ、回転打撃を与えることにより雌ねじアンカー１１の脚部をコンクリート面内で開脚させるための工具である。
以下、実施の形態を図と共に説明する。【００２２】  本発明のアンカー打ち込み具２２は、図７のように、軸部２とその一端に打ち込み部１を有し、その他端には工具係合部４を有し、さらに前記軸部２と打ち込み部１との間に、径大なブロック部３を有している打ち込み棒と、このブロック部３が抜け止めとなるように挿通され、開放端にはスリット部１４を有する外筒部７と前記外筒部７をブロック部３方向に付勢させるバネ９とそのバネ９を前記軸部２上の一定位置で係止する止め輪８で構成されている。【００２３】  その使用方法については、まず、図１のように本発明のアンカー打ち込み具２２の工具係合部４にハンマードリルなどの電動工具２１のチャックに係合させる。【００２４】  次に、図２のようにアンカー打ち込み具２２先端に雌ねじアンカー１１をフランジ部１２側から入れ込み後、天井などに予めあけられた穿孔１７に雌ねじアンカー１１先端を挿入する。このとき、図７のように外筒部７の開放端からブロック部３の打込部１側の面までの距離Ｌ１が雌ねじアンカー１１内に収納されている内部コーン１６の上端面から雌ねじアンカー１１先端までの長さＬ２よりも小さいので打込部１は雌ねじアンカー１１のフランジ部１２の面と外筒部７が接しない状態で雌ねじアンカー１１先端が外筒部７の端面から飛び出している状態になっている。このように構成させることで雌ねじアンカー１１を穿孔１７に挿入しやすくしている。【００２５】  そして図３のように、雌ねじアンカー１１を入れ込んだあと、さらに電動工具２１をコンクリート面２０側に押し付けることで、バネ９により軸部２上の一定位置で停止している外筒部７が工具係合部４の方へ移動し、雌ねじアンカー１１のフランジ部１２がコンクリート面２０と面一になる。さらにこのとき、外筒部７に複数のスリット部１４を設けているので、外筒部７の中に収容された雌ねじアンカー１１が穿孔１７に入ってゆくのをスリット部１４を通して目視で確認することができる。【００２６】  その後、電動工具２１のスイッチを押すと、図４のように打ち込み棒から雌ねじアンカー１１の内部コーン１６に打撃を与えはじめ、雌ねじアンカー１１内の内部コーン１６が雌ねじアンカー１１の脚部側に移動し、脚部１８が開脚されていく。これに伴って、外筒部７は工具係合部４側へさらに移動していく。このときにも内部コーン１６が打ち込まれていく様子をスリット部１４を通して見ることができる。さらに外筒部７が打ち込み棒５に対し相対的に回転可能となっているので、打ち込み中に弱いばね力でコンクリート面２０に押し付けられている外筒部７を手で持って工具係合部４側へ引くことで内部コーン１６が打ち込まれている様子をスリット部１４を通さず、よりはっきりと確認することができる。【００２７】  打撃を与え続けると、雌ねじアンカー１１の脚部１８の開脚は続くが、内部コーン１６の脚部１８側の面が、図５のように穿孔１７の底に近づいていき、ブロック部３の打込部１側端面が雌ねじアンカーフランジ部１２の面とコンクリート面２０に当たる。これにより、打込部１端面から内部コーン１６への打撃がなくなり、雌ねじアンカー１１の開脚が完了し、設置作業が完了される。【００２８】  このとき、打撃���与える対象が内部コーン１６から、雌ねじアンカーフランジ部１２の面とコンクリート面２０に切り替わるので、作業者の手に伝わる振動と音が急激に変化する。このため、作業者が設置作業を完了できたことを目視で確認することが出来ない場合でも、振動と音の変化だけで容易に認知することができる。【００２９】  なお、このとき外筒部７はブロック部３の打込部１側端面から打込部１の端面までの距離が、バネ９で付勢された前記外筒部７の可動距離よりも小さい構造を採用しているので、ブロック部３の打込部１側端面が雌ねじアンカー１１フランジ部１２端面とコンクリート面２０に当たるときに、バネ９力で外筒部７はコンクリート面２０に当たってはいるが、反発力の弱いバネ９を用いているため強制的に押し付けられていないので外筒部７に不必要な振動が発生しない。従って図６のように外筒部７がコンクリート面２０をはつることがない。【００３０】  したがって、作業者が無理な体勢で雌ねじアンカー１１の設置作業の一部始終を目視できない状況下であっても雌ねじアンカー１１を正確に設置させ、器材を安全に取り付けることが可能となる。
【図面の簡単な説明】
【００３１】
【図１】アンカー打ち込み具を電動工具に係合させた状態図。
【図２】アンカー打ち込み具と雌ねじアンカーの装填状態を示す断面図。
【図３】雌ねじアンカー差し込み状態の断面図。
【図４】雌ねじアンカー押し込み完了状態の断面図。
【図５】雌ねじアンカー設置完了状態の断面図。
【図６】雌ねじアンカー設置不良時の断面図。
【図７】本発明のアンカー打ち込み具の側面断面図。
【図８】本発明のアンカー打ち込み具の単体斜視図。
【符号の説明】
【００３２】  １    打込部
２    軸部
３    ブロック部
４    工具係合部
５    打ち込み棒
６    段付の貫通孔
７    外筒部
８    軸止め輪
９    バネ
１０  段付部
１１  雌ねじアンカー
１２  雌ねじアンカーフランジ部
１４  スリット部
１６  内部コーン
１７  穿孔
１８  脚部
１９  雌ねじ部
２０  コンクリート面
２１  電動工具
２２  アンカー打ち込み具
２３  はつられたコンクリート面
【図１】
2009270418.tif 000003
【図２】
2009270418.tif 000004
【図３】
2009270418.tif 000005
【図４】
2009270418.tif 000006
【図５】
2009270418.tif 000007
【図６】
2009270418.tif 000008
【図７】
2009270418.tif 000009
【図８】
2009270418.tif 000010